(57)【要約】【課題】使用者が任意の大きさに折り畳むことができ、ティシュペーパーに不用意に粘着しない粘着テープを備えた折り畳みテープ付き携帯用ティッシュを提供する。【解決手段】積層されたティッシュペーパー１０を収容し、長手方向Ｌに沿ってティッシュペーパーを取り出すスリット２２を一方の面２０ａに設けたフィルム包装体２０と、フィルム包装体の一方の短辺２４に固定されてフィルム包装体の外側に延出可能な自由端３２を有し、自由端のうち一方の面に対向する表面３０ａが粘着性を有する粘着テープ３０と、を備え、フィルム包装体を折り畳まないときは、粘着テープの自由端をフィルム包装体の一方の面に粘着可能であり、フィルム包装体を長手方向と垂直な方向に折り畳んだ際に、粘着テープの自由端をフィルム包装体の他の面２０ｂに粘着させて保持可能な折り畳みテープ付き携帯用ティッシュ１である。【選択図】図４
2010189039.tif 000002
【特許請求の範囲】
【請求項１】
積層されたティッシュペーパーを収容し、長手方向に沿って前記ティッシュペーパーを取り出すスリットを一方の面に設けたフィルム包装体と、
前記フィルム包装体の一方の短辺に固定されて該フィルム包装体の外側に延出可能な自由端を有し、該自由端のうち前記一方の面に対向する表面が粘着性を有する粘着テープと、を備え、
前記フィルム包装体を折り畳まないときは、前記粘着テープの自由端を前記フィルム包装体の一方の面に粘着可能であり、前記フィルム包装体を前記長手方向と垂直な方向に折り畳んだ際に、前記粘着テープの自由端を前記フィルム包装体の他の面に粘着させて保持可能な折り畳みテープ付き携帯用ティッシュ。
【請求項２】
前記フィルム包装体は、厚み３０〜５０μｍの二層フィルムである請求項１記載の折り畳みテープ付き携帯用ティッシュ。
【請求項３】
前記粘着テープの自由端の先端の表面に非粘着性のタブ片が貼付されている請求項１又は２記載の折り畳みテープ付き携帯用ティッシュ。
【請求項４】
前記粘着テープのうち前記自由端を除く部分が前記フィルム包装体の他の面に粘着され、前記自由端の基部から前記フィルム包装体の一方の面に沿って第２の粘着テープが粘着されている請求項１〜３のいずれかに記載の折り畳みテープ付き携帯用ティッシュ。
【請求項５】
前記第２の粘着テープは前記スリットの基部に延設されている請求項４記載の折り畳みテープ付き携帯用ティッシュ。
【請求項６】
前記ティッシュペーパーはそれぞれ折り畳まれ、かつ隣接するティッシュペーパーの折り畳み部分が交互に重ね合わせられてポップアップ式に積層されている請求項１〜５のいずれかに記載の折り畳みテープ付き携帯用ティッシュ。
【請求項７】
前記積層されたティッシュペーパーの短手方向の所定位置が線状に圧縮されている請求項１〜６のいずれかに記載の折り畳みテープ付き携帯用ティッシュ。
【発明の詳細な説明】
【技術分野】
【０００１】
この発明は、携帯用ティッシュに関する。
【背景技術】
【０００２】
ティシュペーパーを10シート程度積層して軟質フィルムで包装し、手軽に持ち運べるようにしたポケットティシュが広く市販されている。特に、最近では、より多くのティシュを携帯したいという要望から、30〜50シートのティシュペーパーを、箱入りティシュペーパーと同様にポップアップ式に取り出せるようにした大判のポケットティシュが開発されている（特許文献１参照）。
又、ティシュペーパーを一方の方向にのみ折り畳み、長大な包装体に収容したものが開発されている（特許文献２参照）。この包装体は大判であるので、平常時には財布のように二つ折りにし、包装体に塗着された感圧接着剤同士を接着して携帯を容易にしている。
【先行技術文献】
【特許文献】
【０００３】
【特許文献１】特許第3996044号公報
【特許文献２】特許第3719657号公報
【発明の概要】
【発明が解決しようとする課題】
【０００４】
しかしながら、特許文献２記載の技術の場合、包装体の表面上の所定位置に設けた感圧接着剤同士を接着して包装体を折り畳むため、使用者が任意の大きさに折り畳もうとすると、包装体から一部突出したティシュペーパー先端に感圧接着剤が接着してしまう等の不具合が生じることがあった。また、この場合、感圧接着剤同士を接着するため包装体の折り畳み位置も予め決められており、使用者が任意の大きさ（例えば三つ折りや、包装体を巻回する等）に折り畳むことができない。さらに、包装体の使用開始時にはティシュペーパーのシート枚数が多いため、積層したティシュペーパーの剛性も高く、折り畳み難いという問題がある。
そこで、本発明は、使用者が任意の大きさに折り畳むことができ、ティシュペーパーに不用意に粘着しない粘着テープを備えた折り畳みテープ付き携帯用ティッシュの提供を目的とする。
【課題を解決するための手段】
【０００５】
上記課題を解決するため、本発明の折り畳みテープ付き携帯用ティッシュは、積層されたティッシュペーパーを収容し、長手方向に沿って前記ティッシュペーパーを取り出すスリットを一方の面に設けたフィルム包装体と、前記フィルム包装体の一方の短辺に固定されて該フィルム包装体の外側に延出可能な自由端を有し、該自由端のうち前記一方の面に対向する表面が粘着性を有する粘着テープと、を備え、前記フィルム包装体を折り畳まないときは、前記粘着テープの自由端を前記フィルム包装体の一方の面に粘着可能であり、前記フィルム包装体を前記長手方向と垂直な方向に折り畳んだ際に、前記粘着テープの自由端を前記フィルム包装体の他の面に粘着させて保持可能である。
このようにすると、ティッシュペーパーの使用時にはフィルム包装体を折り畳まず、スリットから一部表出したティッシュペーパーを取って使用するが、粘着テープの自由端の粘着部分が露出しないので、自由端が不用意にティッシュペーパーに粘着するのを防止する。特に、ポップアップ式のティッシュペーパーの場合、スリットから常にティッシュペーパーの一部が表出しているので効果が大きい。
又、携帯時には、粘着テープの自由端をフィルム包装体の他の面に粘着させ得る限り、任意の形態や大きさで折り畳みテープ付き携帯用ティッシュを折り畳むことができる。さらに、折り畳んだフィルム包装体の内側にティッシュペーパーを位置させることができるので、携帯中にティッシュペーパーが汚れたり散逸することがない。
【０００６】
前記フィルム包装体は二層フィルムであり、厚みが３０〜５０μｍであることが好ましい。
このようにすると、フィルム包装体が繰返し折り畳まれても、包装袋としてある程度のコシが得られると共に、フィルム包装体を折り畳んだ際の折りに硬い皺が付き難く、見栄えや使用感が良好となる。又、フィルム包装体を折り畳み易くなる。
【０００７】
前記粘着テープの自由端の先端の表面に非粘着性のタブ片が貼付されていることが好ましい。
このようにすると、この部分で粘着テープの粘着性を無くし、使用者がタブ片を持って粘着テープを容易に摘めるようになる。
【０００８】
前記粘着テープのうち前記自由端を除く部分が前記フィルム包装体の他の面に粘着され、前記自由端の基部から前記フィルム包装体の一方の面に向かって第２の粘着テープが粘着されていることが好ましい。
このようにすると、粘着テープと第２の粘着テープとが、断面視Ｙ字状にフィルム包装体の短辺の表裏に固定されるので、強固な固定が図られる。
【０００９】
前記第２の粘着テープは前記スリットの基部に延設されていることが好ましい。
このようにすると、使用によって裂けやすいスリットの基部２の強度の向上を兼ねる。
【００１０】
前記ティッシュペーパーはそれぞれ折り畳まれ、かつ隣接するティッシュペーパーの折り畳み部分が交互に重ね合わせられてポップアップ式に積層されていることが好ましい。
このようにすると、ティッシュペーパーを取り出し易い。
【００１１】
前記積層されたティッシュペーパーの短手方向の所定位置が線状に圧縮されていることが好ましい。
このようにすると、圧縮部分でティッシュペーパーを容易に折り畳むことができ、例えばティッシュペーパーの使い始めで比較的積層枚数が多い場合であっても、折り畳みテープ付き携帯用ティッシュを容易に折り畳むことができる。
【発明の効果】
【００１２】
この発明によれば、使用者が任意の大きさに折り畳むことができ、ティシュペーパーに不用意に粘着しない粘着テープを備えた折り畳みテープ付き携帯用ティッシュが得られる。
【図面の簡単な説明】
【００１３】
【図１】本発明の実施形態に係る折り畳みテープ付き携帯用ティッシュの構成を示す斜視図である。
【図２】本発明の実施形態に係る折り畳みテープ付き携帯用ティッシュの裏面（他の面）から見た斜視図である。
【図３】図１のＩＩＩ−ＩＩＩ線に沿う断面図である。
【図４】折り畳みテープ付き携帯用ティッシュを折り畳む態様を示す図である。
【図５】折り畳みテープ付き携帯用ティッシュを折り畳む別の態様を示す図である。
【図６】長手方向に沿って折り畳みテープ付き携帯用ティッシュを切断した部分断面図である。
【図７】長手方向に沿って折り畳みテープ付き携帯用ティッシュを切断した別の例を示す部分断面図である。
【図８】フィルム包装体に取付ける前の粘着テープの構成を示す断面図である。
【図９】短手方向の所定位置が線状に圧縮されたティッシュペーパーを示す斜視図である。
【発明を実施するための形態】
【００１４】
以下、本発明の実施形態について説明する。
図１は、本発明の実施形態に係る折り畳みテープ付き携帯用ティッシュ１の構成を示す斜視図である。折り畳みテープ付き携帯用ティッシュ１は、積層されたティッシュペーパー１０を収容し長手方向Ｌに細長いフィルム包装体２０と、フィルム包装体２０の一方の短辺２４に固定されてフィルム包装体２０の外側に延出可能な自由端３２を有する粘着テープ３０と、を備えている。
詳しくは後述するが、ティッシュペーパー１０は二つ折りにして積層されており、それに伴って包装体２０は大判（短辺が９０〜１２０ｍｍ程度、長辺が２００〜２３０ｍｍ程度）になっている。又、ティッシュペーパー１０は、通常、３０〜５０シート程度積層されている。（ここで1シートとは、ティシュペーパー原紙2枚を重ねたものをいう。）
【００１５】
フィルム包装体２０の一方の面２０ａには、長手方向Ｌに沿ってティッシュペーパー１０を取り出すスリット２２が設けられている。フィルム包装体２０は、２つの短辺２４、２５の端縁をそれぞれ重ねてヒートシールしたシール部２４ａ、２５ａと、一方の面２０ａと反対面（図示せず）の長手方向Ｌに沿う中心をそれぞれ重ねてヒートシールしたシール部とによってティッシュペーパー１０を包装している。
又、フィルム包装体２０は、厚み３０〜５０μｍの二層フィルムであることが好ましい。本発明においては、フィルム包装体２０が繰返し折り畳まれるため、包装袋としてある程度のコシが必要となるので、その厚みが３０μｍ以上であることが好ましい。一方、フィルム包装体２０の厚みが５０μｍを超えると包装機での製袋性が悪化するとともに、使用時にフィルム包装体２０を折り畳んだ際の折りに硬い皺が付き易く、見栄えや使用感が悪化する。又、フィルム包装体２０を折り畳み難くなる。
フィルム包装体２０の一方の面２０ａは、粘着テープ３０が繰り返し粘着されたり剥離されたりすることから、延びたり破断しないようポリプロピレン、ポリエチレンテレフタレート、又はナイロンとすることが好ましい。より好適には、フィルム包装体２０の外層を厚み２０μｍ以上のポリプロピレン、又は厚み１２μｍ以上のポリエチレンテレフタレートとし、内層を他の合成樹脂フィルムの二層フィルムから構成すると、安価で十分な強度が得られる。
【００１６】
粘着テープ３０は片状をなし、自由端３２のうち一方の面２０ａに対向する表面（粘着面）３０ａが粘着性を有している。又、自由端３２の先端の表面に非粘着性のタブ片３４が貼付され、この部分の粘着性を無くし、使用者がタブ片３４を持って粘着テープ３０を容易に摘めるようになっている。
粘着テープ３０のうち自由端３２を除く部分（固定端）はフィルム包装体２０の他の面に粘着されている（図２参照）。さらに、自由端３２の基部からフィルム包装体２０の一方の面２０ａの長手方向Ｌに沿って第２の粘着テープ４０が粘着されている。このようにすると、後述するように、粘着テープ３０と第２の粘着テープ４０とが、断面視Ｙ字状にフィルム包装体２０の短辺２４の表裏に固定されるので、強固な固定が図られる。
又、第２の粘着テープ４０は、スリット２２の基部２２ｂに延設されていて、使用によって裂けやすいスリット２２の基部２２ｂの強度の向上を兼ねている。
第２の粘着テープ４０としては、粘着テープ３０と同様のものを用いることができる。第２の粘着テープ４０と粘着テープ３０の幅を同一とすることが好ましい。
【００１７】
粘着テープ３０の自由端３２の長さは１５ｍｍ〜５０ｍｍであることが好ましい。自由端３２の長さが５０ｍｍを超えると、使用時に自由端３２の先端側の粘着部（表面）がフィルム包装体２０やティッシュペーパー１０に不用意に粘着し易く、使い勝手が悪くなる傾向にある。自由端３２の長さが１５ｍｍ未満であると、折り畳んだフィルム包装体２０の他の面に自由端３２が届かず、フィルム包装体２０を折り畳んだ状態で保持し難くなる傾向にある。
粘着テープ３０の自由端３２の幅は５ｍｍ〜２５ｍｍであることが好ましい。自由端３２の幅が２５ｍｍを超えると、粘着力が強過ぎて剥離に強い力が必要となり使い勝手が悪くなる傾向にある。自由端３２の幅が５ｍｍ未満であると、粘着力が低下してフィルム包装体２０を折り畳んだ状態で保持し難くなる傾向にある。
粘着テープ３０の厚さは３０〜８０μｍとすることが好ましい。粘着テープ３０の厚さが３０μｍ未満であると、テープのコシがなくなり使い勝手が悪くなると共に、テープが切れ易くなる傾向にある。粘着テープ３０の厚さが８０μｍを超えると、テープのコシが付きすぎ、やはり使い勝手が悪く傾向にある。
【００１８】
図２は、本発明の実施形態に係る折り畳みテープ付き携帯用ティッシュ１の裏面（他の面）２０ｂから見た斜視図である。面２０ｂの長手方向Ｌに沿う中心をそれぞれ重ねてヒートシールし、シール部２６が形成されている。
又、粘着テープ３０のうち自由端３２を除く固定端３６がフィルム包装体２０の面２０ｂの中心線上に粘着されている。なお、シール部２６の幅を粘着テープ３０の幅より小さくすると、固定端３６を面２０ｂに強固に粘着させることができ、好ましい。
【００１９】
図３は、図１のＩＩＩ−ＩＩＩ線に沿い、長手方向Ｌのほぼ中央位置で、長手方向Ｌに垂直に折り畳みテープ付き携帯用ティッシュ１を切断した断面図である。
ティッシュペーパー１０は、それぞれ５シートのティッシュペーパー１１〜１５からなり、ティッシュペーパー１１〜１５はそれぞれ長手方向Ｌに沿って二つ折り（Ｖ字折）に折り畳まれている。例えば、ティッシュペーパー１１は二つ折りされて２つの折り畳み部分１１ａ、１１ｂを有している。そして、例えば隣接するティッシュペーパー１１、１２のそれぞれの折り畳み部分１１ａと１２ｂが交互に重ね合わせられ、ポップアップ式に積層されている。
このようにして、最上部のティッシュペーパー１５の折り畳み部分１５ａがスリット２２からフィルム包装体２０外部に表出している。
ポップアップ式にティッシュペーパーを積層する方式としては、上記したＶ字折りの他、各ティッシュペーパーをＺ字折りして交互に折り込む方式が例示できるがこれに限定されず、公知のあらゆるポップアップ式の積層方式を用いることができる。
【００２０】
図４は、折り畳みテープ付き携帯用ティッシュ１を折り畳む態様を示す図である。
まず、ティッシュペーパーの使用時には、フィルム包装体２０を折り畳まず、スリット２２から一部表出したティッシュペーパー１０を取って使用する（図４（ａ））。このとき、粘着テープ３０の自由端３２をフィルム包装体２０の表面（一方の面）２０ａに粘着させることにより、自由端３２の粘着部分が露出して不用意にティッシュペーパー１０に粘着するのを防止する。特に、ポップアップ式のティッシュペーパーの場合、スリット２２から常にティッシュペーパーの一部が表出しているので、自由端３２の粘着部分が露出しないことの効果が大きい。
なお、この実施形態では、自由端３２の粘着部分は、直接一方の面２０ａに粘着されるのでなく、一方の面２０ａに粘着された第２の粘着テープ４０上に粘着されている。
【００２１】
一方、携帯時には、フィルム包装体２０を長手方向Ｌと垂直な方向に折り畳み、粘着テープ３０の自由端３２をフィルム包装体の裏面（他の面）２０ｂに粘着させて保持する（図４（ｂ））。これにより、折り畳みテープ付き携帯用ティッシュ１をコンパクトに折り畳むことができるとともに、スリット２２から一部表出したティッシュペーパー１０を、折り畳んだフィルム包装体２０の内側に位置させることができるので、携帯中にティッシュペーパー１０が汚れたり散逸することがない。
なお、この例では、長手方向Ｌのほぼ中央位置で、長手方向Ｌに垂直な中心線Ｃで折り畳み、２つの短辺２４、２５が並ぶようにしてテープ付き携帯用ティッシュ１を折り畳み、自由端３２を短辺２５まで掛け渡し、自由端３２の表面（粘着面）を短辺２５より内側で他の面２０ｂに粘着させる。
【００２２】
図５は、折り畳みテープ付き携帯用ティッシュ１を折り畳む別の態様を示す図である。
この例では、長手方向に垂直にフィルム包装体２０を巻回して折り畳み、自由端３２を短辺２５まで掛け渡し、自由端３２の表面（粘着面）を短辺２５より内側で他の面２０ｂに粘着させている。このように、自由端３２の表面（粘着面）が他の面２０ｂに届く限り、任意の形態や大きさで折り畳みテープ付き携帯用ティッシュ１を折り畳むことができる。
【００２３】
図６は、長手方向Ｌに沿って折り畳みテープ付き携帯用ティッシュ１を切断した部分断面図である。
粘着テープ３０のうち自由端３２を除く固定端３６が、フィルム包装体２０の他の面２０ｂに粘着されている。一方、自由端３２の基部３２ｂからフィルム包装体２０の一方の面２０ａの長手方向Ｌに沿って第２の粘着テープ４０が粘着されている。このようにして、粘着テープ３０と第２の粘着テープ４０とが、断面視Ｙ字状にフィルム包装体２０の短辺２４の表裏に固定されるので、確実な固定が図られる。
【００２４】
図７は、長手方向Ｌに沿って折り畳みテープ付き携帯用ティッシュ１を切断した部分断面図の別の例である。
この例でも、粘着テープ３０のうち自由端３２を除く固定端３６が、フィルム包装体２０の他の面２０ｂに粘着されている。一方、自由端３２の基部３２ｂからフィルム包装体２０の一方の面２０ａの長手方向Ｌに沿って第２の粘着テープ４０が粘着されている。このようにして、粘着テープ３０と第２の粘着テープ４０とが、断面視Ｙ字状にフィルム包装体２０の短辺２４の表裏に固定されるので、確実な固定が図られる。
さらに、この例では、断面視コの字状の補強テープ３８で短辺２４を覆い、補強テープ３８の上から粘着テープ３０と第２の粘着テープ４０とを対向して貼着している。補強テープ３８により、繰返し曲げ応力がかかる自由端３２の基部３２ｂ近傍を補強することができる。
【００２５】
図８は、フィルム包装体２０に取付ける前の粘着テープ３０の構成を示す断面図である。粘着テープ３０の右半分に第２の粘着テープ４０が貼付され、第２の粘着テープ４０の右先端がタブ片３４に乗り上げている。又、補強テープ38は粘着テープ３０の中央部分に貼付され、補強テープ38の右半分が第２の粘着テープ４０に乗り上げている。
そして、粘着テープ３０の中心近傍（図８の矢印）で図示しないフィルム包装体２０の短辺２４の表裏をコの字状になるように挟み込み、粘着テープ３０と第２の粘着テープ４０をフィルム包装体２０に粘着させて固定する。
【００２６】
図９は、短手方向の所定位置が線状に圧縮されたティッシュペーパー１０を示す斜視図である。
この実施形態では、長手方向Ｌに垂直な中心線Ｃと、中心線Ｃとフィルム包装体２０の各短辺との間に位置する線Ｔ１、Ｔ２でティッシュペーパー１０が線状に圧縮（エンボス加工）されている。これにより、線Ｃ、Ｔ１、Ｔ２でティッシュペーパー１０を容易に折り畳むことができ、例えばティッシュペーパー１０の使い始めで比較的積層枚数が多い場合であっても、折り畳みテープ付き携帯用ティッシュ１を容易に折り畳むことができる。なお、折り畳みテープ付き携帯用ティッシュ１を線Ｃで二つ折してもよく、線Ｔ１、Ｔ２で三つ折してもよい。
【実施例】
【００２７】
以下、実施例を挙げて、本発明を具体的に説明するが、本発明は勿論これらの例に限定されるものではない。
【００２８】
以下のようにして、図１に示す折り畳みテープ付き携帯用ティッシュ１を製造した。
まず、フィルム包装体２０として、２０μｍ厚のＯＰＰ（二軸延伸ポリプロピレン）フィルム／印刷層／２０μｍ厚のＣＰＰ（無延伸ポリプロピレン）フィルムからなる二層フィルムを用い、ポップアップ式に折り畳んで積層したティシュペーパー１０を包装した。透明性の高いＯＰＰフィルムを外側とし、ヒートシール性の良好なＣＰＰフィルムを内側にして包装し、包装の長手方向と平行にスリット（取出口用ミシン目）２２を設けた。なお、ティシュペーパーには予めその長手方向と垂直な方向に、図９に示すようにして線状にエンボスを施した。
次に、得られたフィルム包装体２０の一方の短片２４側に粘着テープ３０を貼付して固定した。粘着テープ３０の固定端から延出した自由端３２の先端には、つまみとなるタブ片３４を粘着面を覆うようにして貼付した。粘着テープ３０の幅は１７ｍｍ、自由端３２の長さは２３ｍｍとした。
このようにして製造した折り畳みテープ付き携帯用ティッシュ１を、長手方向に垂直な中心線Ｃで二つ折りして粘着テープ３０で保持したところ、容易に折り畳みができた。
【００２９】
同様に、フィルム包装体２０として、１２μｍ厚のＰＥＴ（ポリエチレンテレフタレート）フィルム／印刷層／３０μｍ厚のＣＰＰ（無延伸ポリプロピレン）フィルムからなる二層フィルムを用いた場合も、同様に折り畳みが容易であった。
【００３０】
本発明は上記実施形態に限定されず、本発明の思想と範囲に含まれる様々な変形及び均等物に及ぶことはいうまでもない。
【符号の説明】
【００３１】
１                            折り畳みテープ付き携帯用ティッシュ
１０                          ティッシュペーパー
２０                          フィルム包装体
２０ａ                        フィルム包装体の一方の面
２０ｂ                        フィルム包装体の他の面
２２                          スリット
２２ｂ                        スリットの基部
２４                          フィルム包装体の一方の短辺
３０                          粘着テープ
３０ａ                        粘着テープの表面（粘着面）
３２                          粘着テープの自由端
３２ｂ                        粘着テープの基部
３４                          タブ片
３６                          粘着テープの自由端を除く部分（固定端）
４０                          第２の粘着テープ
Ｃ、Ｔ１、Ｔ２                ティッシュペーパーの線状圧縮部分
Ｌ                            長手方向
【図１】
2010189039.tif 000003
【図２】
2010189039.tif 000004
【図３】
2010189039.tif 000005
【図４】
2010189039.tif 000006
【図５】
2010189039.tif 000007
【図６】
2010189039.tif 000008
【図７】
2010189039.tif 000009
【図８】
2010189039.tif 000010
【図９】
2010189039.tif 000011